(57)【特許請求の範囲】
【請求項１】
煙突内部に配置される固定台と、この固定台に取付けられた水回転噴射装置と、固定台に取付けられて当該固定台を煙突内部の中心に支持するよう煙突内壁に圧接される支持脚と、吊り下げ具を有すると共に煙突の上部開口に固定されて固定台を煙突内部の中心に吊り下げる架台と、固定台又は煙突外部に設置されて吊り下げ具を介して固定台を昇降させるためのウインチとを備え、ウインチによって固定台を上下に移動させながら水回転噴射装置から噴射される水により煙突内壁を洗浄する洗浄装置であって、
前記水回転噴射装置は、軸に固定され、軸に沿って対向する筒状の内部分、及び内部分に間隔を置いて対向する筒状の外部分を有するハウジングと、このハウジングの内部分と外部分との間の空間にハウジングに対して回転可能に支持され、一端部が前記内部分と外部分との間の空間よりも突出する筒状のロータとを備え、前記ロータの突出部分とは反対側の端部に対向すると共にその端部外周のほぼ接線方向に水が噴射されるように前記ハウジングの外部分に少なくとも１個の高圧水導入口を設け、この高圧水導入口に対向してロータの端部外周に多数個の凹部を形成し、前記ロータの突出部分に複数個の水噴出口を設け、前記凹部と水噴出口とを連通する環状の流路を設けたものであることを特徴とする煙突内壁洗浄装置。
【請求項２】
前記水回転噴射装置の高圧水導入口は２個設けられ、一方の高圧水導入口は、当該導入口からの噴射水によりロータを一方向に回転させるようにロータの端部外周の凹部に対して開口し、他方の高圧水導入口は、当該導入口からの噴射水によりロータを反対方向に回転させるようにロータの端部外周の凹部に対して開口することを特徴とする請求項１記載の煙突内壁洗浄装置。
【請求項３】
前記固定台に、煙突内壁の周部分を４分割して撮影するための４台のカメラを等角度間隔で設置したことを特徴とする請求項１又は請求項２記載の煙突内壁洗浄装置。
【請求項４】
前記ウインチは固定台に設置された電動ウインチであり、前記架台からの吊り下げ具が水回転噴射装置の軸に挿通されていることを特徴とする請求項１、請求項２又は請求項３記載の煙突内壁洗浄装置。
【請求項５】
前記支持脚は固定台に４本取付けられ、各支持脚は固定台から放射状に拡開するように固定台の下部に煙突内部の中心方向に移動可能に設けられたウエイトにより拡開方向に付勢されていることを特徴とする請求項１、請求項２、請求項３又は請求項４記載の煙突内壁洗浄装置。
【発明の詳細な説明】
【０００１】
【発明の属する技術分野】
この発明は、煙突内壁に付着した灰や塵埃等を高圧水の噴射で除去する煙突内壁洗浄装置に関する。
【０００２】
【従来の技術】
煙突の内壁を洗浄する装置や方法として、例えば特開昭４９−８３９３７号「「煙突内部付着灰除去方法」では、煙突の上部開口からワイヤにより吊り下げたゴンドラを４つのステーやローラ等により煙突内部で上下移動可能に支持し、ゴンドラに２つのノズルを回転可能に取付け、外部より高圧水をホースでノズルに導入し、ノズルから高圧水を噴射させながら、その反動でノズルを回転させることで、煙突内壁に付着した灰を除去している。なお、ゴンドラの上下動は、地上に仮設したウインチにより行っている。
【０００３】
【発明が解決しようとする課題】
しかしながら、上記公報記載の方法では、ホースを介して外部から導入した高圧水をそのままノズルから単に噴射させているだけであるため、ノズルから噴射される水圧が不安定であり、またそれによりノズルの回転も一様でない。このため、煙突内部に万遍なく高圧水を噴射させるのが難しく、洗浄できない部分が残り易い。また、構造は簡素であるが、ホースとノズルをニップルやパイプだけで連結してあるので、余り高い圧力を掛けることはできず、堅牢性に難点がある。
【０００４】
更に、煙突内壁が綺麗に洗浄できたかどうかは目視で行っているため、煙突の下部の方は目視により確認し易いが、上部に行くほど視認が難しくなるという問題がある。
【０００５】
このような問題点は、上記公報記載の技術に固有ではなく、高圧水の噴射により煙突内壁を洗浄する他の装置や方法にも一般的に該当する。
【０００６】
従って、本発明は、そのような問題点に着目してなされたものであって、高圧水を安定して噴射させることができると共に、かなりの高圧水に対しても十分な強度を有し、また煙突の内壁全体にわたって洗浄具合を確認できる煙突内壁洗浄装置を提供することを目的としている。
【０００７】
【課題を解決するための手段】
前記目的を達成するために、この発明の煙突内壁洗浄装置は、煙突内部に配置される固定台と、この固定台に取付けられた水回転噴射装置と、固定台に取付けられて当該固定台を煙突内部の中心に支持するよう煙突内壁に圧接される支持脚と、吊り下げ具を有すると共に煙突の上部開口に固定されて固定台を煙突内部の中心に吊り下げる架台と、固定台又は煙突外部に設置されて吊り下げ具を介して固定台を昇降させるためのウインチとを備え、ウインチによって固定台を上下に移動させながら水回転噴射装置から噴射される水により煙突内壁を洗浄する洗浄装置であって、前記水回転噴射装置は、軸に固定され、軸に沿って対向する筒状の内部分、及び内部分に間隔を置いて対向する筒状の外部分を有するハウジングと、このハウジングの内部分と外部分との間の空間にハウジングに対して回転可能に支持され、一端部が前記内部分と外部分との間の空間よりも突出する筒状のロータとを備え、前記ロータの突出部分とは反対側の端部に対向すると共にその端部外周のほぼ接線方向に水が噴射されるように前記ハウジングの外部分に少なくとも１個の高圧水導入口を設け、この高圧水導入口に対向してロータの端部外周に多数個の凹部を形成し、前記ロータの突出部分に複数個の水噴出口を設け、前記凹部と水噴出口とを連通する環状の流路を設けたものであることを特徴とする。
【０００８】
この洗浄装置では、水回転噴射装置において、高圧水をハウジングの外部分の高圧水導入口よりロータの凹部に向けて噴射すると、高圧水はロータの外周に並んで設けられた凹部に次々に当たり、ロータが回転する。つまり、ロータは回転自在であり、高圧水は高圧水導入口からロータの外周のほぼ接線方向に噴射されるため、高圧水の圧力が凹部に伝わり、ロータには高圧水の圧力に応じた回転力が付与される。それによりロータは回転する一方、凹部に当たった高圧水は、環状の流路を通じて凹部とは反対側の水噴出口に達し、水噴出口から外部に噴射される。ここに、ロータは回転しているから、水噴出口からの高圧水も回転しながら噴射される。
【０００９】
この水回転噴射装置によれば、ハウジングが筒状の内部分及び外部分を有する２重の筒状であり、その内部分と外部分との間の空間でロータが水圧により回転し、水がロータの一端部の凹部から他端部の水噴出口まで環状の流路を通じて移動する構造であるため、ロータの水噴出口から噴射される高圧水の圧力が安定し、ロータの回転も安定する。また、構造的に十分な強度を有するので、入力としてかなりの高圧水を導入することができ、それにより出力としての噴射水にも十分な圧力があり、洗浄能力が高い。従って、そのような特長を有する水回転噴射装置を備えた洗浄装置によれば、煙突内壁に付着した灰や塵埃等を高圧な噴射水により強力に除去することができる。
【００１０】
上記水回転噴射装置の基本構成において、高圧水導入口は少なくとも１個設けられるが、２個設けることで、水噴出口からの出力としての水圧を落とさずにロータの回転を自由に制御できる。この場合、２個の高圧水導入口のうち、一方の高圧水導入口は、当該導入口からの噴射水によりロータを一方向に回転させるようにロータの端部外周の凹部に対して開口し、他方の高圧水導入口は、当該導入口からの噴射水によりロータを反対方向に回転させるようにロータの端部外周の凹部に対して開口することとする。
【００１１】
このロータの回転制御に関していうと、仮に１個の高圧水導入口から高圧水を導入するだけであると、高圧水の圧力にもよるが、ロータの回転が高速になるほど、水は水噴出口から霧状になって噴出し、低速（例えば３０〜６０ｒｐｍ程度）になると、水は水噴出口から直線状に噴出するようになる。この洗浄装置は煙突内壁を洗浄するためのものであり、水が霧状に噴出すると綺麗に洗浄できないので、ロータの回転数を落とす必要がある。
【００１２】
そこで、高圧水導入口を２個設け、一方の高圧水導入口から高圧水を導入することで、ロータを一方向に回転させるのと併行して、他方の高圧水導入口からもロータの所望の回転数に応じた水圧の水を逆噴射させることで、ロータの回転を制動し、その回転数を低下させるようにする。勿論、高圧水を導入する高圧水導入口を変えることで、ロータの回転方向（右回り・左回り）も制御できる。
【００１３】
つまり、高圧水導入口の一方をロータ回転用とし、他方を回転制御用とすることで、水噴出口から噴出する水の圧力を低下させることなく、ロータの回転を自由に制御できる。因みに、単に１個の高圧水導入口から導入される高圧水の圧力を変化させる場合は、導入水の圧力を下げれば、ロータの回転数も落ちるが、水噴出口から噴出する水の圧力も低下し、煙突内壁の洗浄には役立たなくなる。
【００１４】
また、洗浄装置の基本構成において、固定台に、煙突内壁の周部分を４分割して撮影するための４台のカメラを等角度間隔で設置すれば、煙突内壁の状態を確認しながら洗浄を行えるので、内壁に付着した灰や塵埃等を確実に除去することができ、洗浄残しを防げる。なお、カメラで撮影した画像は、別途設けたモニタに表示すればよい。そのモニタでは、各カメラの画像を個別に１画面に表示したり、１画面に４分割して全て表示したりできるようにしておく。
【００１５】
他方、ウインチは固定台に設置された電動ウインチとし、架台からの吊り下げ具（ロープ、ワイヤ等）を水回転噴射装置の軸に挿通すれば、電動ウインチを作動させて吊り下げ具を巻き取ったり送り出したりすることで、固定台を昇降させることが可能となる。この電動ウインチの操作は、煙突外部から例えばコントローラにより行えるようにしておく。勿論、固定台の上下動だけでなく、その速度も可変としておくのが好ましい。
【００１６】
更に、支持脚は固定台に４本取付け、各支持脚を固定台から放射状に拡開するように固定台の下部に煙突内部の中心方向に移動可能に設けたウエイトにより拡開方向に付勢することとすれば、各種内径の煙突にも或る程度の範囲で対応できるだけでなく、固定台を煙突内部の中心に安定して支持することができる。
【００１７】
なお、本発明の洗浄装置が適用可能な煙突としては、装置のサイズや設計上にもよるが、例えば内径１〜３ｍ程度、高さ１００ｍ程度以内のものであり、その他の条件としては、煙突中心が垂直に設定されていること、内壁に大きな穴や突起物がないこと、煙突上部に架台を取付けることができ、装置の重さに耐えられること、洗浄排水を流せることである。
【００１８】
【発明の実施の形態】
以下、実施の形態により、この発明を更に詳細に説明する。
【００１９】
実施形態に係る煙突内壁洗浄装置の概略要部構造図を図１に、その概略上部構造図を図２に示す。
【００２０】
この洗浄装置は、小内径の煙突２００や大内径の煙突２０１の内部に配置される固定台８０と、この固定台８０に取付けられた特定構造の水回転噴射装置９０と、固定台８０に取付けられて当該固定台８０を煙突２００（２０１）内部の中心に支持するよう煙突内壁に圧接される支持脚１００と、ロープ（吊り下げ具）１１１を有すると共に煙突２００（２０１）の上部開口に固定されて固定台８０を煙突２００（２０１）内部の中心に吊り下げる架台１１０と、固定台８０に設置されてロープ１１１を介して固定台８０を昇降させるための電動ウインチ１２０と、煙突２００（２０１）内壁を撮影する４台のカメラ１３０と、煙突２００（２０１）内壁を照明する４台の照明器具１４０とを備える。
【００２１】
固定台８０は、ここでは透明な円筒形状（ハウジング状）であるが、水回転噴射装置９０、支持脚１００、電動ウインチ１２０、カメラ１３０、照明器具１４０等の構成要素を確実に固定・支持できるのであれば、フレームでもよい。
【００２２】
４本の支持脚１００は、固定台８０に等角度間隔で取付けられており、固定台８０の上部に回転可能に支持されたガイドパイプ１０１と、このガイドパイプ１０１の先端部に回転可能に取付けられたローラ１０２とからなる。また、ガイドパイプ１０１の基端部にはワイヤ１５１の一端が連結され、ワイヤ１５１の他端は、固定台８０の底部に後記パイプ１６０に沿って移動可能に配置された円板状のウエイト１５０に連結されている。
【００２３】
従って、常態では、ウエイト１５０が自重により下方に移動しようとする力により、ワイヤ１５１が下方に引っ張られ、ガイドパイプ１０１が拡開方向に付勢される。このため、例えば大内径の煙突２０１の場合の概略平面図を図３に示すように、大小の内径の煙突であっても、或る程度の範囲であれば、固定台８０から放射状に拡開する支持脚１００（ローラ１０２）が煙突内壁に圧接し、固定台８０が煙突内部の中心に安定して支持されることになる。
【００２４】
架台１１０は、図２に示すように煙突２００の上部に架設される棒状のもので、煙突２００の直径方向に合わせて固定される。架台１１０の中央にはロープ１１１が取付けられている。このロープ１１１の取付けは、例えば吊かんを用いることで行われる。
【００２５】
電動ウインチ１２０は、単にロープ１１１を巻き取ったり送り出したりできるだけでなく、その速度を調整できるようになっている。勿論、電動ウインチ１２０の作動は、別途設けたコントローラにより制御できるようになっている。電動ウインチ１２０をコントローラにより適切に操作することで、固定台８０が設定速度で昇降する。
【００２６】
４台のカメラ１３０は、固定台８０に等角度間隔で設置され、煙突２００，２０１の内壁の周部分を４分割で撮影する。つまり、４画像を１組として内壁の周部分をチェックできる。この４台のカメラ１３０の画像は、別途設けたモニタに個別の１画面で又は４分割画面で表示される。カメラ１３０を装備することで、煙突内壁の状態を確認しながら洗浄を行えるので、内壁に付着した灰や塵埃等を確実に除去することができ、洗浄残しを防げる。
【００２７】
４台の照明器具１４０は、各カメラ１３０に対応して各カメラ１３０の上方に等角度間隔で配置されている。煙突内部は夜間は勿論のこと昼間でも暗いので、照明器具１４０を設けることで、各カメラ１３０により内壁部分を明瞭に撮影できる。
【００２８】
図には示されていないが、電動ウインチ１２０の給電用・制御用ケーブル、カメラ１３０及び照明器具１４０に係るケーブル等は、固定台８０の下部の中心に延出して取付けられたパイプ１６０内に挿通され、各部に接続されている。また、パイプ１６０は円板状のウエイト１５０の中心を貫通している。
【００２９】
一方、水回転噴射装置９０は、固定台８０上部の中心に固定され、下記の中空軸１内にロープ１１１が挿通されている。そして、後記に詳述するように、装置９０から延出する４本のパイプ７１より高圧水が水平方向に噴射される。
【００３０】
この水回転噴射装置９０の概略平面図（上面図）を図４に、その縦断面図を図５に示す。この水回転噴射装置９０は、図５において、軸としての中空軸１に固定され、中空軸１に沿って対向する筒状の内部分としてのベース１１、及びベース１１に間隔を置いて対向する筒状の外部分としてのケーシング１２を有するハウジング１０と、このハウジング１０のベース１１とケーシング１２との間の空間にハウジング１０に対して回転可能に支持され、一端部がベース１１とケーシング１２との間の空間よりも突出する筒状のロータ２０とを備える。
【００３１】
ハウジング１０は、筒状のベース１１及びケーシング１２からなる２重の筒状構造であり、ハウジング１０の中心に中空軸１が挿通され、ベース１１とケーシング１２との間の空間にロータ２０が配置された形態である。このハウジング１０は、ベース１１が中空軸１の両端部にてワッシャ１５を介してナット１６により取付けられることで、中空軸１に固定される。ベース１１は、中空軸１に沿って対向する筒状部分１１ａと、この筒状部分１１ａの一端部に付設されたフランジ部分１１ｂとからなる。
【００３２】
ケーシング１２は、ベース１１のフランジ部分１１ｂに一体に取付けられ、ベース１１の筒状部分１１ａに一定間隔を置いて対向する。このケーシング１２の一端部側（ベース１１のフランジ部分１１ｂ側）には、ロータ２０の突出部分２０ａとは反対側の端部に対向すると共にその端部外周のほぼ接線方向に水が噴射されるように２個の高圧水導入口１３が形成されている。
【００３３】
２個の高圧水導入口１３のうち、一方は当該導入口からの噴射水によりロータ２０を一方向（例えば右回り）に回転させるようにロータ２０の後記凹部２１に対して開口し、他方は当該導入口からの噴射水によりロータ２０を反対方向（例えば左回り）に回転させるようにロータ２０の凹部２１に対して開口する。但し、図５では便宜上、高圧水導入口１３はロータ２０の端部外周に垂直方向に描かれている。また、図５には示されていないが、各高圧水導入口１３にはそれぞれバルブが設けられており、バルブにより導入口１３を開閉できるようになっている。この高圧水導入口１３に外部から高圧水を導入するための例えばノズル７０が取付けられる。ノズル７０にはホースが接続され、ホースを介して高圧水供給源が接続される。
【００３４】
ロータ２０は、ベース１１とケーシング１２との間の空間よりも突出する部分２０ａを有すると共に、この突出部分２０ａとは反対側の端部、すなわちケーシング１２の高圧水導入口１３に対向する外周部分に、多数個の半球形状の凹部２１を有する。凹部２１は、図６にロータ２０の正面図を示すように、外周に等間隔で多数形成されている。この凹部２１に対して、ロータ２０の突出部分２０ａには、複数個（ここでは４個）の水噴出口２２が等角度（９０°）間隔を置いて形成されている。この水噴出口２２に高圧水を外部へ噴射するための例えばパイプ７１が取付けられる。
【００３５】
ロータ２０の凹部２１と水噴出口２２は、環状の流路２３により連通している。流路２３は、ロータ２０の外周面とケーシング１２の内周面との間隙により形成された環状の外路２３ａと、ロータ２０内部に形成された環状の内路２３ｂとからなる。外路２３ａは、ロータ２０を部分的に幾分薄肉にすることで形成され、内路２３ｂは、ロータ２０の外周寄り内部に形成される。従って、ケーシング１２の高圧水導入口１３から導入された高圧水は、矢印で示すように、凹部２１からケーシング１２の内周面とロータ２０の外周面との間隙、外路２３ａ、内路２３ｂを順に通過し、ロータ２０の水噴出口２２からパイプ７１に流入し、パイプ７１の先端から噴射される。
【００３６】
一方、ロータ２０はハウジング１０のベース１１及びケーシング１２に対して回転可能であるが、ここでは、ロータ２０の一端部（凹部２１側）の内周面と当該内周面に対向するベース１１の筒状部分１１ａの外周面との間に設けられた軸受３１と、ロータ２０の他端部（水噴出口２２側）の内周面と当該内周面に対向するベース１１の筒状部分１１ａの外周面との間に設けられた軸受３２とにより、ロータ２０が回転可能に支持される。なお、図５では、ロータ２０は回転に伴い水の移動方向に応じて図中の上方向に移動しようとするが、このロータ２０の移動は上側のワッシャ１５及びナット１６により規制される。
【００３７】
また、軸受３１，３２の両側にはそれぞれパッキン４１，４２が配置され、高圧水がベース１１の筒状部分１１ａの外周面とロータ２０の内周面との間隙に浸入しないようになっている。更に、ケーシング１２の内周面とロータ２０の外周面との間にもパッキン４３が配置され、高圧水が当該間隙にも浸入しないようになっている。
【００３８】
他方、ケーシング１２の端面には、環状のフタ５０がパッキン５１を介してネジ５２により取付けられ、パッキン４３を収容した空間がフタ５０で覆い隠される。ロータ２０の端面には、環状のカバー６０がネジ６１により取付けられ、ロータ２０の突出部分２０ａの内側の空間がカバー６０で覆い隠される。カバー６０は筒状の軸受支持部６２を有し、この軸受支持部６２に軸受３３が取付けられ、軸受３３は軸受３１，３２と同様にロータ２０を回転可能に支持する。更に、軸受３３にはスリーブ状のカラー６３が取付けられ、カラー６３はロータ２０の回転を安定して支持する。
【００３９】
このように構成した水回転噴射装置９０では、ケーシング１２の高圧水導入口１３にノズル７０を接続し、このノズル７０に例えばホース（図示せず）を介して高圧水供給源（ポンプ等）を接続する（図４参照）。また、ロータ２０の水噴出口２２にパイプ７１を接続し、高圧水が外部に噴射されるようにする。
【００４０】
そして、高圧水を一方の高圧水導入口１３より導入すると、高圧水はロータ２０の凹部２１に当たる。高圧水はロータ２０の外周部分のほぼ接線方向に噴射されるため、凹部２１が受けた圧力によりロータ２０は回転し始める。すると、高圧水がロータ２０の外周に並ぶ凹部２１に次々と当たるため、ロータ２０には高圧水の圧力に応じた回転力が付与され、ロータ２０が一定速度で回転する。ロータ２０の回転と併行して、凹部２１に当たった高圧水は、環状の流路２３（外路２３ａ、内路２３ｂ）を流れて凹部２１とは反対側の水噴出口２２に達し、水噴出口２２からパイプ７１に流入し、パイプ７１のノズル状先端部から外部に噴射される。勿論、ロータ２０は回転しているから、水噴出口２２に接続されたパイプ７１も回転しながら水を噴射する。
【００４１】
ここで、前記したように、高圧水を一方の高圧水導入口１３から導入するだけであると、水圧にもよるが、ロータ２０の回転が高速になるほど、水は水噴出口２２から霧状になって噴出する。水が噴霧状になると、煙突の内壁を綺麗に洗浄することができないので、他方の高圧水導入口１３からも或る程度の水圧で水を導入する。すると、他方の高圧水導入口１３からの水はロータ２０の回転方向とは反対方向にロータ２０に当たるため、ロータ２０の回転数が低下し、低速回転（例えば３０〜６０ｒｐｍ程度）になると、水は水噴出口２２から直線状に噴出するようになる。
【００４２】
この場合、ロータ２０を一方向に回転させる水圧はそのままにして、水を反対方向に噴射させることでロータ２０の回転を制御するので、ロータ２０の回転を単に水圧低下により下げるのとは異なり、水噴出口２２からの噴射水の圧力は落ちない。このため、煙突の内壁を強力に洗浄できる。
【００４３】
そして、この水回転噴射装置９０によれば、ハウジング１０が筒状の内部分としてのベース１１と筒状の外部分としてのケーシング１２を有する２重の筒状であり、そのベース１１の筒状部分１１ａとケーシング１２との間の空間でロータ２０が水圧により回転し、水がロータ２０の一端部の凹部２１から他端部の水噴出口２２まで環状の流路２３を通じて移動する構造であるため、ロータ２０の水噴出口２２から噴射される高圧水の圧力が安定し、ロータ２０の回転も安定する。また、構造的に十分な強度を有するので、入力としてかなりの高圧水を導入することができ、それにより出力としての噴射水にも十分な圧力があり、洗浄能力が高い。
【００４４】
これに加えて、環状の流路２３が外路２３ａと内路２３ｂからなるため、ロータ２０一端部の凹部２１に噴射された高圧水をロータ２０他端部の水噴出口２２までスムーズに導くことができ、導入された高圧水のエネルギーロスが少なくなる。
【００４５】
しかも、凹部２１が半球形状であるので、それ以外の形状（例えば矩形）に比べて、右回り・左回りのいずれの方向へも、高圧水導入口１３から噴射される高圧水の圧力を回転力としてロータ２０に最も効率良く伝えることができ、これも高圧水のエネルギーロスを少なくすることができる。
【００４６】
従って、このような特長を有する水回転噴射装置９０を用いた煙突内壁洗浄装置では、図２のように架台１１０を例えば煙突２００の上部に固定し、固定台８０を煙突２００内部に配置すると、煙突２００は小内径であるから、図１に示すように支持脚１００は余り拡開せずに、ウエイト１５０の作用によりローラ１０２が煙突２００の内壁に圧接する。これにより、固定台８０が煙突２００の内部の中心に安定して支持される。勿論、水回転噴射装置９０のノズル７０には高圧水供給源からのホースが接続される。
【００４７】
この状態で２個の高圧水導入口１３からの高圧水を導入すれば、前記したようにロータ２０の回転に伴ってパイプ７１が回転しながら、パイプ７１から高圧水が煙突２００の内壁に向かって噴射され、煙突２００の内壁に付着した灰や塵埃等が綺麗に除去される。この洗浄作業をモニタで確認しながら行い、洗浄残しが無いように電動ウインチ１２０により固定台８０を適宜上下動させて、煙突２００の内壁を全体にわたって洗浄する。
【００４８】
なお、上記実施形態では、高圧水排出用のパイプ７１は４本設けられているが、すなわちロータ２０の水噴出口２２は４個設けられているが、２個や３個でもよい。但し、ロータ２０の回転を安定して行うには、水噴出口２２は等角度間隔で設けるのが好ましい。勿論、パイプ７１の長さは煙突の内径に応じて適宜選定する。
【００４９】
また、上記実施形態では、電動ウインチ１２０を固定台８０に取付けてあるが、ウインチを煙突外部に設置し、滑車等を用いてロープ１１１を煙突外部に出し、電動又は手動でウインチを操作してもよい。
【００５０】
【発明の効果】
以上説明したように、この発明の煙突内壁洗浄装置によれば、装備される水回転噴射装置では、ハウジングが筒状の内部分及び外部分を有する２重の筒状であり、その内部分と外部分との間の空間でロータが水圧により回転し、水がロータの一端部の凹部から他端部の水噴出口まで環状の流路を通じて移動する構造であるため、ロータの水噴出口から噴射される高圧水の圧力が安定し、ロータの回転も安定する。
【００５１】
また、構造的に十分な強度を有するので、入力としてかなりの高圧水を導入することができ、それにより出力としての噴射水にも十分な圧力があり、洗浄能力が高い。
【００５２】
従って、煙突内壁に付着した灰や塵埃等を高圧な噴射水により強力に除去することができる。
【００５３】
請求項２の構成とすれば、水噴出口から噴出する水の圧力を低下させることなく、ロータの回転を自由に制御できる。
【００５４】
請求項３の構成とすれば、煙突内壁の状態を確認しながら洗浄を行えるので、内壁に付着した灰や塵埃等を確実に除去することができ、洗浄残しを防げる。
【００５５】
請求項４の構成とすれば、電動ウインチを作動させて吊り下げ具を巻き取ったり送り出したりすることで、固定台を昇降させることが可能となる。
【００５６】
請求項５の構成とすれば、各種内径の煙突にも或る程度の範囲で対応できるだけでなく、固定台を煙突内部の中心に安定して支持することができる。
【図面の簡単な説明】
【図１】実施形態に係る煙突内壁洗浄装置の概略要部構造図である。
【図２】同洗浄装置の概略上部構造図である。
【図３】同洗浄装置における支持脚の、大内径の煙突の内壁に対する拡開状態を示す概略平面図である。
【図４】同洗浄装置における水回転噴射装置の一例を示す概略平面図である。
【図５】同水回転噴射装置の縦断面図である。
【図６】同水回転噴射装置におけるロータの正面図である。
【符号の説明】
１        中空軸（軸）
１０      ハウジング
１１      ベース（内部分）
１１ａ    筒状部分
１１ｂ    フランジ部分
１２      ケーシング（外部分）
１３      高圧水導入口
２０      ロータ
２０ａ    突出部分
２１      凹部
２２      水噴出口
２３      流路
８０      固定台
９０      水回転噴射装置
１００    支持脚
１１０    架台
１１１    ロープ（吊り下げ具）
１２０    電動ウインチ
１３０    カメラ
１４０    照明器具
１５０    ウエイト
２００    小内径の煙突
２０１    大内径の煙突
【図１】
0003936616.tif 000002
【図２】
0003936616.tif 000003
【図３】
0003936616.tif 000004
【図４】
0003936616.tif 000005
【図５】
0003936616.tif 000006
【図６】
0003936616.tif 000007